(57)【要約】【課題】小型化が可能、かつ、簡便な構造で、組立性を損なうことなく、良好な伝送特性を実現できるケーブルコネクタ及びそれ備えた車載カメラモジュール用コネクタを提供する。【解決手段】ケーブル６３に接続されるコンタクト端子２０と、非導電性とされ、コンタクト端子２０に設けられている係止部２８と、コンタクト端子２０が固定されているインシュレータ４０とを備え、コンタクト端子２０は、係止部２８を介してインシュレータ４０に対して固定されている。【選択図】図１
2020155206.tif 000002
【特許請求の範囲】
【請求項１】
ケーブルに接続されるコンタクト端子と、
非導電性とされ、該コンタクト端子に設けられている係止部と、
前記コンタクト端子が固定されているベース部材と、
を備え、
前記コンタクト端子は、前記係止部を介して前記ベース部材に対して固定されているケーブルコネクタ。
【請求項２】
前記コンタクト端子は、基端側に設けられた圧着部に前記ケーブルが接続される導電性のコンタクトピンを有し、
前記係止部は、前記コンタクトピンに対して固定され、
前記ベース部材には、前記コンタクトピン及び前記係止部が挿入されている請求項１に記載のケーブルコネクタ。
【請求項３】
前記ベース部材には、圧入空間が形成され、
前記係止部は、前記圧入空間に圧入されることで前記ベース部材に対して固定されている請求項２に記載のケーブルコネクタ。
【請求項４】
前記係止部は、インサート成型によって前記コンタクトピンに接合されて固定されている請求項２又は３に記載のケーブルコネクタ。
【請求項５】
多芯ケーブルとして１つに束ねられた複数の前記ケーブルにそれぞれ接続される複数の前記コンタクト端子を備え、
各前記コンタクト端子が有する各前記係止部が１つの前記ベース部材に対して固定されている請求項１から４のいずれかに記載のケーブルコネクタ。
【請求項６】
多芯ケーブルとして１つに束ねられた複数の前記ケーブルにそれぞれ接続される複数の前記コンタクト端子を備え、
各前記コンタクト端子が有する前記係止部は１つの部材として一体に形成され、
前記係止部が前記ベース部材に対して固定されている請求項１又は３に記載のケーブルコネクタ。
【請求項７】
請求項１から６のいずれかに記載のケーブルコネクタを備えた車載カメラモジュール用コネクタ。
【発明の詳細な説明】
【技術分野】
【０００１】
本発明は、車載カメラモジュールに採用されて好適なケーブルコネクタ及びそれ備えた車載カメラモジュール用コネクタに関する。
【背景技術】
【０００２】
近年の車載カメラ市場は、ＡＤＡＳ（Advanced  driver  assistance  systems）や自動運転向けの画像センシング技術の向上に伴って、高速かつ大容量の伝送技術が必要になっており、ケーブルコネクタの伝送特性を向上させる必要性が高まっている。
【０００３】
この種のケーブルコネクタとしては、例えば、特許文献１に開示されているものがある。特許文献１に記載のケーブルコネクタは、ケーブルに圧着された複数のコンタクト端子を備えており、これらのコンタクト端子がインシュレータに圧入されることでコンタクト端子とインシュレータとが固定される。
【０００４】
コンタクト端子には、平型のコンタクト部が設けられており、コンタクト部には、２つの爪部が一体に形成されている。これらの爪部は、平型のコンタクト部に対し、それらが互いに対向するように略直角に折り曲げられている。そして、冶具等を用いて爪部の背面を押し込むことでコンタクト端子をインシュレータに差し込んで圧入する構成となっている。また、爪部がインシュレータに食い込むことでコンタクト端子とインシュレータとが固定される。
【先行技術文献】
【特許文献】
【０００５】
【特許文献１】特開２０１７−７３３５９号公報
【発明の概要】
【発明が解決しようとする課題】
【０００６】
しかしながら、特許文献１に記載のケーブルコネクタは、金属製のコンタクト部の一部に爪部を一体形成したことによって、コンタクト端子のインピーダンスが低下して伝送特性が悪化する可能性がある。
【０００７】
そこで、インピーダンスの低下を抑制するために爪部を省略することが考えられる。しかし、爪部を省略した場合、コンタクト端子をインシュレータに固定させることができなくなる。
【０００８】
上記の問題に関しては、爪部の立設方向の高さ寸法を小さくすることが考えられる。しかし、爪部の高さを低くすると、冶具等を用いて爪部の背面を押し込むに際して、爪部の背後に十分なスペースが確保されないためにケーブルやコンタクト端子を冶具の接触によって損傷させる可能性がある。
【０００９】
また、インピーダンスの低下を抑制するための他の方法としては、爪部の突出量を減らしたうえで、爪部の折り曲げずにコンタクト部に沿って左右方向に開いた爪部とすることも考えられる。しかし、爪部が左右方向に開いている場合、左右方向において隣り合うコンタクト端子が干渉するため、コンタクト端子のピッチが広がってしまう。そうすると、ケーブルコネクタ自体のサイズが拡大する可能性があるため好ましくない。
【００１０】
上記の問題に関しては、爪部を左右のどちらか片側にのみ形成することが考えられる。しかし、この場合、右側に爪部が形成されたコンタクト端子及び左側に爪部が形成されたコンタクト端子の、左右非対称とされた２種類のコンタクト部が必要になる。このため、ケーブルコネクタを組み立てる作業者がコンタクト端子の左右を識別しなくてはならず、組立性が悪化する可能性がある。
【００１１】
そこで、本発明は、小型、かつ、簡便な構造で、組立性を損なうことなく、良好な伝送特性を実現できるケーブルコネクタ及びそれ備えた車載カメラモジュール用コネクタを提供することを目的とする。
【課題を解決するための手段】
【００１２】
上記課題を解決するために、本発明のケーブルコネクタ及びそれ備えた車載カメラモジュール用コネクタは以下の手段を採用する。
すなわち、本発明の一態様に係るケーブルコネクタは、ケーブルに接続されるコンタクト端子と、非導電性とされ該コンタクト端子に設けられている係止部と、前記コンタクト端子が固定されているベース部材とを備え、前記コンタクト端子は、前記係止部を介して前記ベース部材に対して固定されている。
【００１３】
本態様に係るケーブルコネクタによれば、ケーブルに接続されるコンタクト端子と、非導電性とされコンタクト端子に設けられている係止部と、コンタクト端子が固定されているベース部材とを備え、コンタクト端子は、係止部を介してベース部材に対して固定されている。このとき、非導電性とされた係止部はコンタクト端子のインピーダンスを低下させないため、良好な伝送特性を実現しながらコンタクト端子をベース部材に固定することができる。同時に、係止部の大きさを適切に設定して係止部の背面に押し込み用の冶具を接触させるためのスペースを確保することで、接続されたケーブルの損傷を回避することができる。
また、例えば上述のような爪部を一体形成したコンタクト端子を使用する場合、コンタクト端子の形状の複雑化を助長する。しかし、爪部を設けないことでコンタクト端子の形状を単純化することができる。そのうえ、同一形状のコンタクト端子を用意するだけでよいため、多芯とされ複数のコンタクト端子を並列的に設ける場合であっても、作業者がコンタクト端子の形状を識別する必要がない。
【００１４】
また、本発明の一態様に係るケーブルコネクタにおいて、前記コンタクト端子は、基端側に設けられた圧着部に前記ケーブルが接続される導電性とされたコンタクトピンを有し、前記係止部は、前記コンタクトピンに対して固定され、前記ベース部材には、前記コンタクトピン及び前記係止部が挿入されている。
【００１５】
本態様に係るケーブルコネクタによれば、コンタクト端子は、基端側に設けられた圧着部にケーブルが接続される導電性のコンタクトピンを有し、係止部は、コンタクトピンに対して固定され、ベース部材には、前記コンタクトピン及び前記係止部が挿入されている。これによれば、コンタクト端子は、コンタクトピン及び係止部を有しており、これらコンタクトピン及び係止部がベース部材に挿入される。このとき、係止部がベース部材に固定されることで、係止部を介してコンタクト端子がベース部材に固定されることとなる。
また、コンタクトピン２２と係止部２８とが別体なので、コンタクトピン２２の形状を単純化することができる。そのうえ、同一形状のコンタクトピン２２を用意するだけでよいため、多芯とされ複数のコンタクトピン２２を並列的に設ける場合であっても、作業者がコンタクトピン２２の形状を識別する必要がない。
【００１６】
また、本発明の一態様に係るケーブルコネクタにおいて、前記ベース部材には、圧入空間が形成され、前記係止部は、前記圧入空間に圧入されることで前記ベース部材に対して固定されている。
【００１７】
本態様に係るケーブルコネクタによれば、係止部は、圧入空間に圧入されることでベース部材に対して固定されている。圧入の手順としては、例えばベース部材に形成された開口からその開口と連通している圧入空間に係止部を押し込むことで、係止部を圧入空間に圧入することができる。これによって、簡便にコンタクト端子をベース部材に固定することができる。
係止部の圧入による固定は、例えば、圧入空間のサイズを、樹脂製とされた係止部のサイズよりもわずかに小さく形成することで実現する。
【００１８】
また、本発明の一態様に係るケーブルコネクタにおいて、前記係止部は、インサート成型によって前記コンタクトピンに接合されて固定されている。
【００１９】
本態様に係るケーブルコネクタによれば、係止部はインサート成型によってコンタクトピンに接合されて固定されている。これによって、容易にコンタクトピンと係止部とを一体とすることができる。
なお、コンタクトピンに対する係止部の固定方法としては、インサート成型に限らず、例えば、接着材による固定や嵌合による固定であってもよい。
【００２０】
また、本発明の一態様に係るケーブルコネクタは、多芯ケーブルとして１つに束ねられた複数の前記ケーブルにそれぞれ接続される複数の前記コンタクト端子を備え、各前記コンタクト端子が有する各前記係止部が１つの前記ベース部材に対して固定されている。
【００２１】
本態様に係るケーブルコネクタによれば、多芯ケーブルとして１つに束ねられた複数のケーブルにそれぞれ接続される複数のコンタクト端子を備え、各コンタクト端子が有する各係止部が１つのベース部材に対して固定されている。これによって、多芯ケーブルにおいても上記のコンタクト端子の構造を適用できる。
【００２２】
また、本発明の一態様に係るケーブルコネクタは、多芯ケーブルとして１つに束ねられた複数の前記ケーブルにそれぞれ接続される複数の前記コンタクトピンを有する複数の前記コンタクト端子を備え、各前記コンタクト端子が有する前記係止部は１つの部材として一体に形成され、前記係止部が前記ベース部材に対して固定されている。
【００２３】
本態様に係るケーブルコネクタによれば、多芯ケーブルとして１つに束ねられた複数のケーブルにそれぞれ接続される複数のコンタクトピンを有する複数のコンタクト端子を備え、各コンタクト端子が有する係止部は１つの部材として一体に形成され、その係止部が１つのベース部材に対して固定されている。これによって、多芯ケーブルにおいても上記のコンタクト端子の構造を適用できるうえ、部品点数の削減を図ることができる。
【００２４】
また、本発明の一態様に係る車載カメラモジュール用コネクタは、上述のケーブルコネクタを備えている。
【発明の効果】
【００２５】
本発明によれば、小型、かつ、簡便な構造で、組立性を損なうことなく、良好な伝送特性を実現できる。
【図面の簡単な説明】
【００２６】
【図１】本発明の一実施形態においてコンタクト端子とインシュレータとが固定された状態の斜視図である。
【図２】本発明の一実施形態においてコンタクト端子とインシュレータとが固定される前の斜視図である。
【図３】本発明の一実施形態においてコンタクト端子とインシュレータとを固定している際の斜視図である。
【図４】図１から図３に示すコンタクト端子の斜視図である。
【図５】本発明の一実施形態に係るケーブルコネクタと比較例に係るケーブルコネクタとの伝送特性を比較したグラフを示した図である。
【図６】比較例に係るコンタクト端子を示した斜視図である。
【発明を実施するための形態】
【００２７】
以下、本発明の一実施形態に係るケーブルコネクタ及びそれ備えた車載カメラモジュール用コネクタについて図を用いて説明する。
【００２８】
まず、ケーブルコネクタの構成について説明する。
図１に示すように、本実施形態に係るケーブルコネクタは、コンタクト端子２０と、コンタクト端子２０が差し込まれて固定されるインシュレータ（ベース部材）４０とを備えている。
【００２９】
図２に示すように、コンタクト端子２０は、コンタクトピン２２と、コンタクトピン２２に固定された係止部２８とを有している。
【００３０】
図１に示すように、本実施形態のケーブルコネクタには、複数のケーブル６３が１本に束ねられることで構成された多芯ケーブル６０が接続されている。
【００３１】
多芯ケーブル６０は、複数のケーブル６３が、編組線６２によって1本に束ねられ、更に、編組線６２の外側が外部シース６１によって被覆された構成とされている。同図においては、ケーブル６３は４本とされている。
【００３２】
４本のケーブル６３の各々には、コンタクト端子２０が接続されており、各コンタクト端子２０が、１つのインシュレータ４０に対して固定されている。
【００３３】
コンタクトピン２２は、導電性を有する材料（例えば金属）によって作製された平型で長尺の部材である。コンタクトピン２２の基端側（同図において右端側）には、ケーブル６３（同図においては図示せず）を圧着して接続する圧着部２４を有している。
【００３４】
圧着部２４は、基端側に位置する第１圧着爪２４Ａと、第１圧着爪２４Ａよりも先端側にある第２圧着爪２４Ｂとを有している。
なお、ここで言う「先端」とは、コンタクトピン２２の基端に対して反対側に位置する端部であって、同図において左端に示す挿入端２６である。
【００３５】
図１に示すように、第１圧着爪２４Ａは、ケーブル６３をシース６４の外側から圧着する爪とされる。また、第２圧着爪２４Ｂは、シース６４の内側から延出したケーブル６３の芯線を圧着する爪とされる。
ケーブル６３は、第１圧着爪２４Ａ及び第２圧着爪２４Ｂによってコンタクトピン２２に圧着されることで電気的に接続される。この実施形態において、ケーブル６３は第１圧着爪２４Ａ及び第２圧着爪２４Ｂによって固定されているが、それ以外の方法で接続されてもよく、仕様に応じて任意に変更されてよい。
【００３６】
図２に示すように、係止部２８は、圧着部２４よりも挿入端２６側のコンタクトピン２２に固定されている。
【００３７】
係止部２８は、樹脂（例えば、ＰＢＴ（ポリブチレンテレフタラート）やＬＣＰ（液晶ポリマ）等）によって作製された角柱形状の被導電性部材である。係止部２８は、インサート成型によってコンタクトピン２２の表面に接合されて固定されている。
このとき、係止部２８との接合領域におけるコンタクトピン２２の一部に抜け止め用の嵌合孔を形成することが好ましい。これによって、コンタクトピン２２に対する係止部２８の抜けや位置ずれを抑制することができる。
【００３８】
なお、コンタクトピン２２と係止部２８との固定方法は、インサート成型に限らず、接着剤による固定であってもよいし、嵌合による固定であってもよく、仕様に応じて任意に変更できる。また、係止部２８の形状は、角柱形状に限らず、後述する圧入空間Ｓ１の形状に応じて任意に変更できる。
【００３９】
係止部２８の接合及びケーブル６３の圧着の手順としては次の通りである。
すなわち、係止部２８をコンタクトピン２２に固定した後に、ケーブル６３にコンタクトピン２２の圧着部２４を圧着する。仮に、ケーブル６３にコンタクトピン２２を圧着する前に係止部２８を接合した場合、係止部２８の接合時にケーブル６３や圧着部２４を損傷させる可能性があるため好ましくない。
【００４０】
図３に示すように、インシュレータ４０は、円柱形状の本体部４６及び本体部４６に一体形成された端子案内部４８、プラグ部４２を有しており、それらが絶縁材料によって一体成型されている。
【００４１】
本体部４６には、一端面（背面に相当する面）の中央部分において、＋形状の横断面形状を有する端子案内部４８を隔壁として格子状に配置された４つの圧入空間Ｓ１が形成されている。各圧入空間Ｓ１は、本体部４６の一端面側に外部と連通する開口をそれぞれ形成している。また、圧入空間Ｓ１は、各開口から所定の奥行寸法を持って形成されている。
圧入空間Ｓ１は、コンタクト端子２０に接合された係止部２８が圧入される空間とされ、係止部２８を開口から圧入空間Ｓ１の内部に向かって押し込むことができる。
なお、上述の奥行寸法は、円柱形状とされた本体部４６の軸線方向に沿った寸法（円柱形状で言う高さ寸法）よりも小さい寸法とされている。つまり、本体部４６の軸線方向において、奥行寸法は圧入空間Ｓ１が本体部４６を貫通しない程度の寸法とされている。また、圧入空間Ｓ１の奥行方向は、後述するコンタクト端子２０の挿入方向に一致している。
【００４２】
各圧入空間Ｓ１は、角柱形状に形成されており、係止部２８の角柱形状よりもわずかに小さく設定されている。これによって、係止部２８を圧入空間Ｓ１に対して圧入することができる。なお、圧入空間Ｓ１の形状は、角柱形状に限らず、任意の形状に変更できる。
【００４３】
本体部４６には、他端面側（上述の一端面に対して反対側の端面側）から圧入空間Ｓ１に連通する貫通孔が形成されている。この貫通孔は、コンタクトピン２２の横断面形状程度の寸法とされ、各圧入空間Ｓ１に対して１対１で形成されている。この貫通孔を介して、コンタクトピン２２を圧入空間Ｓ１の内部から他端面側に一体形成されたプラグ部４２の端子案内溝４４（後述）に向かって挿通させることができる。
【００４４】
端子案内部４８は、上述の通り４つの開口及び圧入空間Ｓ１を画定するとともに、その＋形状の横断面形状が本体部４６の一端面から突出するように形成されている。
【００４５】
端子案内部４８は、同図において上下方向に広がった縦案内部４８Ａと、その縦案内部４８Ａに直交して左右方向に広がった横案内部４８Ｂとが一体に形成された構成とされている。
縦案内部４８Ａは、端子案内部４８の突出方向に沿って、その厚さ寸法が略一定とされている。
これに対して、横案内部４８Ｂは、端子案内部４８の突出方向に沿って、その厚さ寸法が変化している。具体的には、本体部４６側から端子案内部４８の端部に向かう方向に沿って、その厚さがテーパ状に縮小している。
【００４６】
なお、端子案内部４８によって画定される圧入空間Ｓ１の数は、ケーブル６３の本数（すなわち、コンタクト端子２０の本数）に対応しており、６芯ケーブルに適用される場合は、他形状の端子案内部（例えば、１枚の横案内部４８Ｂ及び２枚の縦案内部４８Ａから構成）によって６つの圧入空間Ｓ１が画定されることとなる。すなわち、端子案内部４８の横断面形状や圧入空間Ｓ１の数は、多芯ケーブル６０が有するケーブル６３の本数に合わせて任意に変更できる。
また、同軸ケーブルに適用する場合、端子案内部４８は省略され、圧入空間Ｓ１の数は１つとされる。
【００４７】
プラグ部４２は、本体部４６の他端面から突出するように形成された部分であって角柱形状とされている。
【００４８】
プラグ部４２には、コンタクト端子２０の本数に対応した数の端子案内溝４４が、プラグ部４２の突出方向に沿って形成されている。同図の場合、プラグ部４２の上面側に２本の端子案内溝４４が形成され、図示されていないプラグ部４２の下面側に２本の端子案内溝４４が形成されている。
【００４９】
各端子案内溝４４は、本体部４６に形成された上述の貫通孔を介して各圧入空間Ｓ１に連通しており、圧入空間Ｓ１の内部から貫通孔を介して挿通されたコンタクトピン２２を溝方向に沿って案内する。
【００５０】
次に、コンタクト端子２０とインシュレータ４０との固定方法について説明する。
図４に示すように、まず、コンタクトピン２２の挿入端２６を、圧入空間Ｓ１の開口に挿入したのち係止部２８の背面２８Ａ（図２参照）を冶具等で押圧して、コンタクト端子２０をインシュレータ４０側に押し込んでゆく。なお、係止部２８の背面２８Ａを押圧する治具や装置については仕様に応じて任意に選択可能であり、自動であっても良いし、手作業であってもよい。
【００５１】
このとき、端子案内部４８によって、コンタクトピン２２及び係止部２８が挿入方向に沿って案内される。また、端子案内溝４４によってコンタクトピン２２の挿入端２６側が挿入方向に沿って案内される。これらによって、コンタクト端子２０を円滑にインシュレータ４０側に移動させることができる。
なお、ここで言う「背面」とは、係止部２８が有する各面のうち圧着部２４側に位置する面であって、例えば、図２で示す符号２８Ａで示した面である。
【００５２】
係止部２８が、圧入空間Ｓ１の開口面に到達したとき、係止部２８の背面２８Ａを更に冶具等を用いて押すことで、係止部２８を圧入空間Ｓ１に圧入して固定する。
【００５３】
これによって、図１に示すように、コンタクト端子２０がインシュレータ４０に対して固定された状態になる。
【００５４】
係止部２８を圧入空間Ｓ１に固定する方法としては、圧入空間Ｓ１を係止部２８よりもわずかに小さく設定することによって圧入する方法に限らず、例えば、圧入空間Ｓ１を画定するインシュレータ４０の内壁面に爪を形成して、その爪を係止部２８に食い込ませる方法を採ってもよいし、係止部２８にリブを形成して、そのリブを圧入空間Ｓ１を画定するインシュレータ４０の内壁面に接触させる方法を採ってもよい。つまり、係止部２８を圧入空間Ｓ１に固定できる任意の方法を採用できる。
【００５５】
なお、一体となったコンタクト端子２０及びインシュレータ４０には、図示しないモールドカバーやオーバーモールド等が取り付けられている。これらの各部材が一体となったケーブルコネクタにおけるインシュレータ４０のプラグ部４２が、カメラモジュール側に接続されることとなる。これは、特に、車載カメラモジュール用のコネクタとして採用されて好適である。
【００５６】
本実施形態によれば、樹脂製の係止部２８をコンタクトピン２２に一体固定したことにより、インピーダンスを低下させないため、良好な伝送特性を実現しながらコンタクト端子２０をインシュレータ４０に固定することができる。
【００５７】
図５には、本実施形態に係るケーブルコネクタの伝送特性（実線）と、コンタクトピン１２２（図６参照）が採用された比較例に係るケーブルコネクタの伝送特性（破線）とが記載されたグラフが示されている。ここで、グラフの横軸は周波数、縦軸は伝送特性（ＶＳＷＲ：電圧定在波比）を示している。
【００５８】
図６に示すように、比較例に係るコンタクトピン１２２には、金属製の２つの爪部１３０が一体に形成されている。この爪部１３０をインシュレータ４０に係止することで、コンタクト端子１２０がインシュレータ４０に固定される。
【００５９】
図５に示すように、所定の周波数ｆ１［Ｈｚ］において、破線で示された伝送特性の値よりも、実線で示された伝送特性の値の方が小さく伝送特性が良好となり、本実施形態に係るケーブルコネクタの伝送特性が良好である。
【００６０】
また、係止部２８の大きさを適切に設定して係止部２８の背面に冶具（係止部２８の背面を押すための冶具）を接触させるためのスペースを確保することで、圧着部２４に接続されたケーブル６３の損傷を回避することができる。
【００６１】
また、コンタクトピン２２と係止部２８とを別体に形成してもよい。これによれば、コンタクトピン２２の形状を単純化することができる。そのうえ、同一形状のコンタクトピン２２を用意するだけでよいため、多芯とされ複数のコンタクトピン２２を並列的に設ける場合であっても、作業者がコンタクトピン２２の形状を識別する必要がない。
【００６２】
また、係止部２８はインサート成型によってコンタクトピン２２に接合されて固定されている。これによって、容易にコンタクトピン２２と係止部２８とを一体とすることができる。
【００６３】
〔変形例〕
上述した実施形態において、係止部２８は、各コンタクトピン２２毎にそれぞれ個別に設けられているが、複数のコンタクトピン２２を１つの係止部２８によってまとめて固定してもよい。
なお、複数のコンタクトピン２２に対して１つの係止部２８をインサート成型する場合、各コンタクトピン２２同士が近接した状態で係止部２８に固定される。この場合、各コンタクトピン２２をケーブル６３に圧着するために必要な圧着部２４付近の作業用スペースが確保できない。また、ケーブル６３の圧着後にインサート成型を行うことは現実的ではない。このため、複数のコンタクトピン２２を１つの係止部２８によってまとめる場合は、インサート成型によらず以下の方法を採用する。
【００６４】
まず、コンタクトピン２２をケーブル６３に圧着する。また、係止部２８には、予めコンタクトピン２２が挿通される４つの挿通孔が形成されている。
そして、ケーブル６３に圧着された状態の各コンタクトピン２２を、係止部２８に形成された挿通孔にそれぞれ挿入する。
このとき、第２圧着爪２４Ｂよりも挿入端２６側のコンタクトピン２２に突起を形成しておくことで、係止部２８がその突起よりも基端側に移動しないように規制することができる。
【００６５】
コンタクト端子２０とインシュレータ４０との固定方法としては次の通りである。
すなわち、各コンタクト端子２０が有するコンタクトピン２２の挿入端２６を、圧入空間Ｓ１に挿入する。
【００６６】
その後、プラグ部４２側から突出したコンタクトピン２２を引くことでコンタクト端子２０をインシュレータ４０側に移動させる。
【００６７】
係止部２８が、圧入空間Ｓ１の開口面に到達したとき、コンタクトピン２２を更に引くことで、係止部２８を圧入空間Ｓ１に圧入して固定する。
【００６８】
これによって、コンタクト端子２０がインシュレータ４０に対して固定された状態になる。
【００６９】
変形例においては、コンタクト端子２０の本数に対応した数の係止部２８を用意する必要がないので、部品点数の削減を図ることができる。また、インシュレータ４０に複数の圧入空間Ｓ１を区画する必要がないので、端子案内部４８を省略することができる。
【符号の説明】
【００７０】
２０    コンタクト端子
２２    コンタクトピン
２４    圧着部
２４Ａ  第１圧着爪
２４Ｂ  第２圧着爪
２６    挿入端（先端）
２８    係止部
４０    インシュレータ（ベース部材）
４２    プラグ部
４４    端子案内溝
４６    本体部
４８    端子案内部
４８Ａ  縦案内部
４８Ｂ  横案内部
６０    多芯ケーブル
６１    外部シース
６２    編組
６３    ケーブル
６４    シース
１２０  コンタクト端子
１２２  コンタクトピン
１３０  爪部
Ｓ１  圧入空間
【図１】
2020155206.tif 000003
【図２】
2020155206.tif 000004
【図３】
2020155206.tif 000005
【図４】
2020155206.tif 000006
【図５】
2020155206.tif 000007
【図６】
2020155206.tif 000008